(57)【要約】【課題】構造が容易で操作し易い、支点の移動するハサミを提供する。【解決手段】一対のハサミ片３a、３bに、その長手方向に所定の範囲伸びる長孔１３a、１３bと、長孔１３a、１３bよりハサミ片３a、３bの基端側に離れた位置において所定の範囲伸びる案内長孔１５a、１５bと、を設ける。さらに、連結板２１により連結される支点軸リベット１７と案内リベット１９が、それぞれ長孔１３a、１３b、案内長孔１５a、１５bに挿通される。【選択図】図１
2008161496.tif 000002
【特許請求の範囲】
【請求項１】
長手方向一縁部側に切刃が形成された刃部と前記刃部の基端に設けられる把持部とを有し、互いに略対称な形状を有する一対のハサミ片と、
前記ハサミ片を相対回動可能に連結する支点軸と、を備え、
前記ハサミ片に形成され、前記支点軸が嵌る孔が前記ハサミ片の長手方向に長い長孔に形成され、前記支点軸が移動可能とされたハサミにおいて、
前記ハサミはさらに、前記ハサミ片それぞれに形成され、前記ハサミが閉じた状態において前記長孔の下端から下方へ所定の距離だけ離れた位置から互いに左右反対方向或いは互いに遠ざかるように斜め下方へ伸びる案内長孔と、
前記案内長孔に移動可能に挿通された案内軸と、
前記支点軸と前記案内軸とを連結する連結体と、
を備えることを特徴とするハサミ。
【発明の詳細な説明】
【技術分野】
【０００１】
本発明はハサミに関する。さらに詳しく言えば、ハサミの開閉により支点が移動するハサミに関する。
【背景技術】
【０００２】
従来ハサミはその回動の支点となる支点軸がハサミ片に固定されている。この状態で対象物を切ろうとすると、把持部と支点軸との間の距離は変わらないので、切る位置すなわち作用点が刃元より刃先にいくに従って大きな力を加えなければ対象物を切断することができない。
【０００３】
この点に鑑み発明されたのが、特開平４−２１５７８５号に記載されるような支点の移動するハサミである。この発明においては、パンタグラフ状の連結棒をハサミ片及び支点に装着することにより、ハサミの回動に合わせて支点が移動する。ハサミを閉じていくに従って支点が刃先に向かって移動することにより、支点軸が固定されたはさみに比べ支点から作用点までの距離が短くなり、他方把持部すなわち力点から支点軸までの距離が長くなり、支点軸が固定されたハサミに比べ、刃先側での対象物の切断が容易になる。
【特許文献１】特開平４−２１５７８５号公報
【発明の開示】
【発明が解決しようとする課題】
【０００４】
ところが、前記支点の移動するハサミは、パンタグラフにより支点を移動させるため、その構造が複雑となってしまう。また、パンタグラフの部材が把持部に取付けられているため、指で握る際の邪魔になり、操作がし難い。
【０００５】
本願発明はこのような従来技術の有する問題点に着目してなされたものである。その目的とするところは、構造が容易で操作し易い、支点の移動するハサミを提供することである。
【課題を解決するための手段】
【０００６】
前記課題を解決するため請求項１記載の発明は、長手方向一縁部側に切刃が形成された刃部と前記刃部の基端に設けられる把持部とを有し、互いに略対称な形状を有する一対のハサミ片と、前記ハサミ片を相対回動可能に結合する支点軸と、を備え、前記ハサミ片に形成され、前記支点軸が嵌る孔が前記ハサミ片の長手方向に長い長孔に形成され、前記支点軸が移動可能とされたハサミにおいて、前記ハサミはさらに、前記ハサミ片それぞれに形成され、前記ハサミが閉じた状態において前記長孔の下端から下方へ所定の距離だけ離れた位置から互いに左右反対方向或いは互いに遠ざかるように斜め下方へ伸びる案内長孔と、前記案内長孔に移動可能に挿通された案内軸と、前記支点軸と前記案内軸とを連結する連結体と、を備えることを特徴とする。
【０００７】
なお、前記手段及び請求項１でいう「下方」とは、ハサミ片の先端部を上、基端部を下とした場合の基端部側を意味し、「下端」とは基端部側端部を意味する。また、ここでいう「左右反対方向」とはハサミ片の長手方向に対して垂直な方向を指している。
【発明の効果】
【０００８】
本願発明によれば、構造が容易で操作し易い、支点が移動するハサミを提供することができる。
【発明を実施するための最良の形態】
【０００９】
以下、本発明を具体化した実施形態を図面に基づいて説明する。図１は第１の実施形態におけるハサミの分解斜視図であり、図２はハサミを閉じた状態における平面図である。
【００１０】
図に示すように、本実施形態によるハサミ１は、一対のハサミ片３a、３bと、支点軸リベット１７と、案内リベット１９と、連結板２１から構成される。
【００１１】
ハサミ片３a、３bは板状の部材であり、互いに略対称な形状となるよう形成されている。ハサミ片３a、３bには一縁部側の先端から所定の範囲にかけて切刃５a、５bが形成された刃部７a、７bが設けられており、把持部９a、９bが設けられている。把持部９a、９bには孔１１a、１１bが設けられており、この孔１１a、１１bに指を挿入することにより使用者はハサミ１を操作する。
【００１２】
ハサミ片３a、３bには、刃部７a、７bと把持部９a、９bとの間において長手方向に所定の範囲伸びる長孔１３a、１３bが図２の状態においてほぼ重なるように設けられている。さらに長孔１３a、１３bより基端側に離れた位置において所定の範囲伸びる案内長孔１５a、１５bが設けられている。この案内長孔１５a、１５bは、図２の状態において一端側において互いに重なり、ハサミ片３a、３bの長手方向に対して垂直（図２において１５aについては下、１５bについては上）に左右反対方向へ伸びている。
【００１３】
次に、連結版２１について説明する。連結板２１は細長い板状の部材であり、その両端部に孔２３、２５が設けられている。この孔２３、２５の径は後述する支点軸リベット１７、案内リベット１９の径にそれぞれ対応しており、後述するように支点軸リベット１７、案内リベット１９がそれぞれ挿通される。支点軸リベット１７及び案内リベット１９は連結板２１により連結されるため、両リベットは連動することになる。
【００１４】
ハサミ１が閉じた状態（図２）において、支点軸リベット１７は長孔１３a、１３ｂの刃先側端部に位置し、案内リベット１９も案内長孔１５a、１５bの刃先側端部に位置するよう配置される。
【００１５】
次に、ハサミ片３a、３bの組立てについて説明する。ハサミ片３aがハサミ片３b上に重ねられ、さらにその上に連結板２１が重ねられた状態において、連結板２１の孔２３、長孔１３a、長孔１３bの順に支点軸リベット１７が挿通され、抜止めされる。同様に案内リベット１９が、連結板２１の孔２５、案内長孔１５a、１５bの順に挿通される。これにより、ハサミ片３aと３bは組立てられる。
【００１６】
この支軸リベット１７、案内リベット１９の径と、長孔１３a、b、案内長孔１５a、bの幅との間には僅かなクリアランスが設けてある。そのため、両リベット１７、１９はスムーズに相対回転でき、かつ、スムーズに移動ができる。
【００１７】
なお、本実施の形態においては支点軸及び案内軸としてリベットを用いたが、螺子部材を用いてもよい。螺子部材を用いた場合、増し締めが可能となるため、ハサミを開くときの固さを使用者の好みに合わせて調節することができる。
【００１８】
次に、図２、３、４を参照して、ハサミ１の回動の支点である支点軸リベット１７がハサミ１の回動に合わせて刃先に向かって移動する構成を説明する。図３はハサミを閉じる（又は開く）途中の状態における平面図であり、図４はハサミを開いた状態における平面図である。
【００１９】
まず、図２に示すように、ハサミ１を閉じた状態において、支点軸リベット１７は長孔１３a、１３ｂの刃先側端部に位置し、案内リベット１９は案内長孔１５a、１５bの刃先側端部に位置している。
【００２０】
この状態からハサミ１を開いていくと、支点軸リベット１７を中心としてハサミ片３a、３bが互いに反対方向に回動していく。この回動に伴い、案内長孔１５a、１５bが案内リベット１９回りに互いに反対方向に回動すると共に、案内リベット１９は案内長孔１５a、b内を把持部９a、９b側端部に向かって移動する。この際、支点軸リベット１７と案内リベット１９は連動するため、支点軸リベット１７も長孔１３a、b内を把持部９a、９b側端部に向かって移動する（図３参照）。そして、案内リベット１９が案内長孔１５a、bの把持部９a、９b側端部に、支点軸リベット１７が長孔１３a、bの把持部９a、９b側端部に当接することによりハサミ片３a、３b回動は止まり、ハサミ１は開ききった状態となる（図４参照）。
【００２１】
次に、ハサミ１が開いた状態から閉じる際には上記の逆の動作をし、ハサミ１を閉じていくにつれて、案内リベット１９はハサミ片３a、３bの長手方向先端側へ移動し、支軸リベット１７も同方向に移動する（図３、４参照）。
【００２２】
以上の構成により、ハサミ１を閉じていくに従い、支点が作用点に近づいていくとともに、支点から力点までの距離αが長くなっていくため、刃先においても容易に対象物を切断することができる。
【００２３】
さらに本願発明によれば、従来例と比べ少ない部材数で、ハサミの回動に合わせて支点を移動させることができ、また、パンタグラフを用いるのと比べ構造を容易にすることができる。さらに、パンタグラフのような邪魔な部材が無いため操作がし易い。
【００２４】
次に、本発明を具体化した第２の実施形態について図５、６を参照しながら説明する。図５はハサミを閉じた状態における平面図であり、図６はハサミを開いた状態における平面図である。なお、本実施形態は、ハサミ１の構成において一部を除き前記第一の実施形態と同一の構成からなる。従って、以下では、第１実施形態と同一の構成についての説明は省略し、相違点のみを説明する。
【００２５】
第二の実施形態に係るハサミ４１では、案内長孔５５a、５５bが互いに遠ざかるように斜め下方（図２において５５aについては右下、５５bについては右上）に伸びている。すなわち、本実施形態の案内長孔５５a、５５bは第一の実施形態の案内長孔１５a、１５bよりもハサミ片３a、３bの基端側に向かって傾斜している。
【００２６】
本実施形態によれば、前記第一の実施形態と同様の効果に加え、以下の効果を奏する。  本実施形態においては案内長孔５５a、５５bが傾斜しているため、ハサミ４１の回動に伴う案内リベット１９の長手方向への変位量が大きくなる。その結果、案内リベット１９と連動する支点軸リベット１７の長手方向への変位量も第一の実施形態に比べ増加することとなる。従って、さらに容易に対象物を切断することができる。
【００２７】
また、ハサミ片３a、３bの形状は案内長孔５５a、５５bの伸長する方向により一定の制限を受けるが、本実施形態においてはハサミ片３a、３bの長手方向と、案内長孔５５a、５５bが伸長する方向が近づくため、ハサミ４１をより外観のよい形状にすることができる。
【図面の簡単な説明】
【００２８】
【図１】第１の実施形態におけるハサミの分解斜視図
【図２】同実施形態におけるハサミを閉じた状態における平面図
【図３】同実施形態におけるハサミを閉じる途中の状態における平面図
【図４】同実施形態におけるハサミを開いた状態における平面図
【図５】第２の実施形態におけるハサミを閉じた状態における平面図
【図６】同実施形態におけるハサミを開いた状態における平面図
【符号の説明】
【００２９】
１：ハサミ  ３：ハサミ片  １３：長孔  １５：案内長孔  １７：支点軸リベット  
１９：案内リベット  ２１：連結板
【図１】
2008161496.tif 000003
【図２】
2008161496.tif 000004
【図３】
2008161496.tif 000005
【図４】
2008161496.tif 000006
【図５】
2008161496.tif 000007
【図６】
2008161496.tif 000008